(57)【要約】    【課題】      遅延プロファイル更新周期を長くした場合であっても、受信性能の劣化が抑制できるようにすること。    【解決手段】  遅延プロファイル更新時は、フィンガ割当て部１０３はパス検出部１０２にてパスを検出されたパスの中からＲａｋｅ合成対象フィンガ選択部１０７からのフィンガ選択情報が指示するフィンガを検出して割当てるパスを選択し、それ以外の候補パスは、候補パス記憶部１０４に格納しておく。そして、遅延プロファイルが更新されない期間では、Ｒａｋｅ合成対象フィンガ選択部１０７が同様に希望波対干渉波電力比の悪いフィンガを検出し、フィンガ割当て部１０３は遅延プロファイル更新時に候補パス記憶部１０４に格納しておいた候補パスでフィンガの追加を行う。即ち、遅延プロファイルが更新されない期間でも伝搬環境に応じたフィンガ割当ての更新を行うことができる。  【選択図】      図１
2006086632.tif 000002
【特許請求の範囲】
【請求項１】
受信信号から遅延プロファイルを作成する遅延プロファイル作成手段と、前記遅延プロファイルからパス検出を行うパス検出手段と、前記パス検出結果、候補パス記憶手段から読み出した候補パス情報およびフィンガ選択情報に基づきフィンガ割当てを行うとともに、フィンガに割当てなかった候補パスを前記候補パス記憶手段に保存するフィンガ割当て手段と、前記フィンガ割当て手段からのフィンガ割当て情報に基づき受信信号を逆拡散するフィンガ手段と、前記フィンガ手段におけるフィンガ毎の逆拡散結果に基づき信号品質を測定する信号品質測定手段と、前記フィンガ毎の信号品質情報に基づきＲａｋｅ合成対象とするフィンガとＲａｋｅ合成対象としないフィンガとを選択し、それぞれを示す前記フィンガ選択情報を出力するＲａｋｅ合成対象フィンガ選択手段と、前記フィンガ手段における逆拡散結果と前記フィンガ選択情報とに基づきＲａｋｅ合成を行うＲａｋｅ合成手段と、を具備することを特徴とするＣＤＭＡ受信装置。
【請求項２】
前記信号品質測定手段は、前記フィンガ毎に希望波対干渉波電力比を測定する希望波対干渉波電力比測定手段、であることを特徴とする請求項１記載のＣＤＭＡ受信装置。
【請求項３】
前記信号品質測定手段は、前記フィンガ毎に誤りビット数を測定する誤りビット数測定手段、であることを特徴とする請求項１記載のＣＤＭＡ受信装置。
【請求項４】
前記信号品質測定手段は、前記フィンガ毎に受信レベルを測定する受信レベル測定手段、であることを特徴とする請求項１記載のＣＤＭＡ受信装置。
【請求項５】
請求項１から請求項４のいずれかに記載のＣＤＭＡ受信装置を具備することを特徴とする移動局装置。
【請求項６】
請求項１から請求項４のいずれかに記載のＣＤＭＡ受信装置を具備することを特徴とする基地局装置。
【発明の詳細な説明】
【技術分野】
【０００１】
本発明は、ＣＤＭＡ（Code Division Multiple Access）移動通信システムにおける基地局や移動局が備えるＣＤＭＡ受信装置に係り、特に複数の伝搬経路から無線信号を受信するＣＤＭＡ受信装置に関する。
【背景技術】
【０００２】
従来、複数の伝搬経路から無線信号を受信するＣＤＭＡ受信装置では、受信信号の品質を良好にすることや、受信装置の移動などによる受信中の回線断を防ぐなどの目的から、受信中にもパスサーチを行っている（例えば特許文献１）。以下、本発明の理解を容易にするために、図５を参照してその概要を説明する。なお、図５は従来のＣＤＭＡ受信装置の構成例を示すブロック図である。
【０００３】
図５に示すＣＤＭＡ受信装置は、アンテナ５０１を有する無線回路５０２、フィンガ回路５０３、レイク回路５０４、タイミング制御回路５０５を備えている。そして、フィンガ回路５０３は、逆拡散回路５０６ａ〜５０６ｎ、及びレベル測定回路５０７ａ〜５０７ｎを含んで構成されている。
【０００４】
以上の構成において、無線回路５０２が出力する受信信号は、フィンガ回路５０３の逆拡散回路５０６ａ〜５０６ｎ及びタイミング制御回路５０５に入力される。逆拡散回路５０６ａ〜５０６ｎの出力は、レベル測定回路５０７ａ〜５０７ｎを介して逆拡散データとなり、レイク回路５０４及びタイミング制御回路５０５に入力される。タイミング制御回路５０５は、フィンガ回路５０３の逆拡散回路５０６ａ〜５０６ｎに対して基準タイミングパルスを出力する。
【０００５】
ここで、フィンガ回路５０３は、無線回路５０２から出力される受信信号の逆拡散および希望波対干渉波電力比のレベル測定を行う。希望波対干渉波電力比のレベルがある一定の閾値を下回る場合には、フィンガ回路５０３のレベル測定回路５０７ａ〜５０７ｎからタイミング制御回路５０５にパス有効/無効情報を通知する。そして、パス有効/無効情報に応じてパスの最大検索数を変えている。
【０００６】
このようなＣＤＭＡ受信装置では、遅延プロファイル更新周期とフィンガ割当て更新周期とを同一周期とし、その周期を受信性能が劣化しないような周期としている。
【特許文献１】特開２００１-１８６０５０号公報
【発明の開示】
【発明が解決しようとする課題】
【０００７】
しかしながら、従来のＣＤＭＡ受信装置においては、消費電力の低減、基地局装置での収容チャネル数増加のために、遅延プロファイル更新周期を長くした場合、フィンガ割当てが伝搬環境の変化に追いつかない場合があるので、受信性能が劣化してしまうという問題がある。
【０００８】
本発明は、かかる点に鑑みてなされたものであり、遅延プロファイル更新周期を長くした場合でも受信性能の劣化を抑制できるＣＤＭＡ受信装置を提供することを目的とする。
【課題を解決するための手段】
【０００９】
かかる課題を解決するため、本発明に係るＣＤＭＡ受信装置は、受信信号から遅延プロファイルを作成する遅延プロファイル作成手段と、前記遅延プロファイルからパス検出を行うパス検出手段と、前記パス検出結果、候補パス記憶手段から読み出した候補パス情報およびフィンガ選択情報に基づきフィンガ割当てを行うとともに、フィンガに割当てなかった候補パスを前記候補パス記憶手段に保存するフィンガ割当て手段と、前記フィンガ割当て手段からのフィンガ割当て情報に基づき受信信号を逆拡散するフィンガ手段と、前記フィンガ手段におけるフィンガ毎の逆拡散結果に基づき信号品質を測定する信号品質測定手段と、前記フィンガ毎の信号品質情報に基づきＲａｋｅ合成対象とするフィンガとＲａｋｅ合成対象としないフィンガとを選択し、それぞれを示す前記フィンガ選択情報を出力するＲａｋｅ合成対象フィンガ選択手段と、前記フィンガ手段における逆拡散結果と前記フィンガ選択情報とに基づきＲａｋｅ合成を行うＲａｋｅ合成手段とを具備する構成を採る。
【００１０】
この構成によれば、遅延プロファイル更新時では、フィンガ割当て手段は、パス検出手段にて検出されたパスの中からフィンガ選択情報が指示する信号品質の良好なフィンガを検出して割当てるパスを選択し、それ以外の候補パスは、候補パス記憶手段に格納しておく。そして、遅延プロファイルが更新されない期間では、信号品質が悪いフィンガの検出、削除を同様に行い、遅延プロファイル更新時に候補パス記憶手段に格納しておいた候補パスでフィンガの追加を行う。したがって、遅延プロファイルが更新されない期間でも伝搬環境に応じたフィンガ割当ての更新を行うことができ、受信性能の劣化が抑制できる。
【００１１】
本発明に係るＣＤＭＡ受信装置は、上記の発明において、前記信号品質測定手段は、前記フィンガ毎に希望波対干渉波電力比を測定する希望波対干渉波電力比測定手段であるという構成を採る。
【００１２】
この構成によれば、希望波対干渉波電力比の悪いフィンガを検出して削除することができる。
【００１３】
本発明に係るＣＤＭＡ受信装置は、上記の発明において、前記信号品質測定手段は、前記フィンガ毎に誤りビット数を測定する誤りビット数測定手段であるという構成を採る。
【００１４】
この構成によれば、誤りビット数の多いフィンガを検出して削除することができる。
【００１５】
本発明に係るＣＤＭＡ受信装置は、上記の発明において、前記信号品質測定手段は、前記フィンガ毎に受信レベルを測定する受信レベル測定手段であるという構成を採る。
【００１６】
この構成によれば、受信レベルの低いフィンガを検出して削除することができる。
【００１７】
本発明に係る移動局装置は、上記発明に係るＣＤＭＡ受信装置を具備する構成を採る。
【００１８】
この構成によれば、移動局装置において、上記の発明と同様の作用、効果を得ることができる。
【００１９】
本発明に係る基地局装置は、上記発明に係るＣＤＭＡ受信装置を具備する構成を採る。
【００２０】
この構成によれば、基地局装置において、上記の発明と同様の作用、効果を得ることができる。
【発明の効果】
【００２１】
本発明によれば、遅延プロファイルが更新されない場合でも受信性能の劣化を抑制できるので、遅延プロファイル更新周期を長くして消費電力の低減や基地局装置での収容チャネル増加を図ることができる。
【発明を実施するための最良の形態】
【００２２】
本発明の骨子は、遅延プロファイルが更新されていない期間であっても、信号品質の悪いフィンガを検出して削除することを遅延プロファイルの更新時と同様に行い、遅延プロファイル更新時に見つけた候補パスでフィンガの追加を行って伝搬環境に応じたフィンガ割当ての更新が行えるようにし、受信性能の劣化を抑制することである。なお、信号品質としては、希望波対干渉波電力比、誤りビット数、受信レベルの何れかを計測する。
【００２３】
以下、本発明の実施の形態について図面を参照して詳細に説明する。
【００２４】
（実施の形態１）
図１は本発明の実施の形態１に係るＣＤＭＡ受信装置の構成を示すブロック図である。図１に示すＣＤＭＡ受信装置１００は、遅延プロファイル作成部１０１と、パス検出部１０２と、フィンガ割当て部１０３と、候補パス記憶部１０４と、フィンガ部１０５−１〜１０５−ｎと、希望波対干渉波電力比測定部１０６−１〜１０６−ｎと、Ｒａｋｅ合成対象フィンガ選択部１０７と、Ｒａｋｅ合成部１０８とを備えている。
【００２５】
受信信号は、遅延プロファイル作成部１０１とフィンガ部１０５−１〜１０５−ｎとにそれぞれ入力される。遅延プロファイル作成部１０１は、受信信号から遅延プロファイルを作成し、パス検出部１０２に出力する。パス検出部１０２は、受け取った遅延プロファイルから複数のパスを検出し、それぞれをフィンガ割当て部１０３に出力する。
【００２６】
フィンガ割当て部１０３は、パス検出部１０２でのパス検出結果と、候補パス記憶部１０４から読み出した候補パス情報と、Ｒａｋｅ合成対象フィンガ選択部１０７からの複数のフィンガ選択情報とに基づきフィンガに割当てる位相を決定し、フィンガ部１０５−１〜１０５−ｎに出力する。このとき、フィンガ割当て部１０３は、フィンガに割当てなかったパスを候補パスとして候補パス記憶部１０４に出力し記憶させる。
【００２７】
フィンガ部１０５−１〜１０５−ｎは、フィンガ割当て部１０３から割当てを受けたパス位相において受信信号の逆拡散を行い、逆拡散結果を希望波対干渉波電力比測定部１０６−１〜１０６−ｎ及びＲａｋｅ合成部１０８に出力する。
【００２８】
希望波対干渉波電力比測定部１０６−１〜１０６−ｎは、それぞれのフィンガ部１０５−１〜１０５−ｎにおける逆拡散結果から希望波対干渉波電力比を測定し、Ｒａｋｅ合成対象フィンガ選択部１０７に出力する。
【００２９】
Ｒａｋｅ合成対象フィンガ選択部１０７は、フィンガ毎の希望波対干渉波電力比に基づいてＲａｋｅ合成の対象とするフィンガを選択し、そのフィンガ選択情報をフィンガ割当て部１０３及びＲａｋｅ合成部１０８に出力する。
【００３０】
Ｒａｋｅ合成部１０８では、フィンガ部１０５−１〜１０５−ｎからの逆拡散結果をＲａｋｅ合成対象フィンガ選択部１０７からのフィンガ選択情報に基づきＲａｋｅ合成し、その結果を出力する。
【００３１】
次に、図１と図２を参照して、以上のように構成されるＣＤＭＡ受信装置の動作について説明する。なお、図２は、図１に示すＣＤＭＡ受信装置の動作を説明するタイムチャートである。図２では、動作タイミングとして、時刻０Ｔ、時刻１Ｔ、時刻２Ｔ、時刻３Ｔ、時刻４Ｔ、時刻５Ｔが示されている。図２に示すように、遅延プロファイル作成部１０１とパス検出部１０２とは、４動作周期毎に動作を行うのに対し、その他のフィンガ割当て部１０３、候補パス記憶部１０４及びＲａｋｅ合成対象フィンガ選択部１０７は各動作周期において動作を行うことが示されている。
【００３２】
時刻０では、次のような動作が行われる。遅延プロファイル作成部１０１では、受信信号と拡散符号とのスライディング相関を計算して遅延プロファイルを作成し、遅延プロファイルを更新する。したがって、パス検出部１０２では、更新された遅延プロファイルにおいて相関値がピークとなる位相を検出する。
【００３３】
フィンガ割当て部１０３では、Ｒａｋｅ合成対象フィンガ選択部１０７から入力される前回の時刻−Ｔにおけるフィンガ選択情報に基づき、パス検出部１０２が検出した遅延プロファイルでの相関値が上位となるピーク位相から順にフィンガ割当てを決定する。具体的には、フィンガ割当て部１０３では、フィンガ選択情報が「フィンガ有効」となっていれば、その時のピーク位相をフィンガに割当てる。また、フィンガ選択情報が「フィンガ無効」となっていれば、その時のピーク位相をフィンガに割当てない。そして、フィンガ選択情報に含まれていない位相であれば、新規のパスが見つかったものとして、フィンガに割当てる。フィンガ割当て部１０３では、このようにフィンガ割当てが決定した後、最終的にフィンガに割当てなかったピーク位相は、候補パス記憶部１０４に保存しておく。
【００３４】
フィンガ部１０５−１〜１０５−ｎでは、それぞれ、フィンガ割当て部１０３から指示されたパス位相で受信データを逆拡散する。希望波対干渉波電力比測定部１０６−１〜１０６−ｎでは、逆拡散結果に基づいてフィンガ毎に希望波電力と干渉波電力の比を算出する。ここでは、例えば、希望波電力は受信パイロットシンボルの平均値を求め、その電力値を計算することにより算出する。干渉波電力は受信パイロットシンボルの分散を求め、その電力値を計算することにより算出する。なお、希望波対干渉波電力比の算出方法は、前記の方法に限定されるものではなく、従来から公知の方法を用いてもよい。
【００３５】
Ｒａｋｅ合成対象フィンガ選択部１０７では、フィンガ毎の希望波対干渉波電力比と予め定められた希望波対干渉波電力比しきい値とを比較し、しきい値以上のフィンガをＲａｋｅ合成対象となるフィンガとして選択し「フィンガ有効」なるフィンガ選択情報を作成する一方、しきい値より小さいフィンガをＲａｋｅ合成対象としないフィンガとして選択し「フィンガ無効」なるフィンガ選択情報を作成する。Ｒａｋｅ合成部１０８では、フィンガ選択情報が「フィンガ有効」となっているフィンガでＲａｋｅ合成を行う。
【００３６】
次に、時刻１Ｔ,２Ｔ,３Ｔでは、遅延プロファイルは更新されず、フィンガ割当て部１０３、候補パス記憶部１０４及びＲａｋｅ合成対象フィンガ選択部１０７等が次のような動作を行う。
【００３７】
フィンガ割当て部１０３は、時刻−Ｔだけ過去の時刻のフィンガ選択情報を参照し、「フィンガ無効」となっているフィンガはフィンガ割当てから削除する。削除されたフィンガには、候補パス記憶部１０４から読み込んだ候補パス情報により新規にフィンガ割当てを行う。
【００３８】
フィンガ部１０５−１〜１０５−ｎは、それぞれ、フィンガ割当て部１０３から指示されたパス位相で、受信データを逆拡散する。希望波対干渉波電力比測定部１０６−１〜１０６−ｎでは、逆拡散結果に基づいてフィンガ毎に希望波電力と干渉波電力の比を算出する。
【００３９】
Ｒａｋｅ合成対象フィンガ選択部１０７では、フィンガ毎の希望波対干渉波電力比と予め定められた希望波対干渉波電力比しきい値とを比較し、しきい値以上のフィンガをＲａｋｅ合成対象となるフィンガとして選択し「フィンガ有効」なるフィンガ選択情報を作成する一方、しきい値より小さいフィンガをＲａｋｅ合成対象としないフィンガとして選択し「フィンガ無効」なるフィンガ選択情報を作成する。
【００４０】
Ｒａｋｅ合成部１０８では、フィンガ選択情報が「フィンガ有効」となっているフィンガでＲａｋｅ合成を行う。時刻４Ｔ以降では、以上説明した時刻０Ｔ〜３Ｔの動作を繰り返して行う。
【００４１】
このように、本実施の形態１によれば、遅延プロファイルが更新されない時でも、希望波対干渉波電力比の悪いフィンガを検出、削除し、遅延プロファイル更新時に見つけた候補パスでフィンガの追加を行うので、伝搬環境に応じたフィンガ割当ての更新を行うことができ、受信性能の劣化を抑制できる。
【００４２】
（実施の形態２）
図３は本発明の実施の形態２に係るＣＤＭＡ受信装置の構成を示すブロック図である。なお、図３では、図１（実施の形態１）に示した構成要素と同一ないしは同等である構成には同一の符号が付されている。ここでは、本実施の形態２に関わる部分を中心に説明する。
【００４３】
即ち、図３に示すように、本実施の形態２に係るＣＤＭＡ受信装置２００では、図１（実施の形態１）に示した構成において、希望波対干渉波電力比測定部１０６−１〜１０６−ｎに代えて誤りビット数測定部２０６−１〜２０６−ｎが設けられ、またＲａｋｅ合成対象フィンガ選択部１０７に代えてＲａｋｅ合成対象フィンガ選択部２０７が設けられている。
【００４４】
以上の構成において、誤りビット数測定部２０６−１〜２０６−ｎは、それぞれ、フィンガ部１０５−１〜１０５−ｎから逆拡散結果を受け、受信パイロットシンボルを復調し、パイロットパターンとの比較により誤りビット数を測定し、Ｒａｋｅ合成対象フィンガ選択部２０７に出力する。
【００４５】
Ｒａｋｅ合成対象フィンガ選択部２０７は、フィンガ毎の誤りビット数と予め定められた誤りビット数しきい値とを比較し、しきい値以下のフィンガをＲａｋｅ合成対象となるフィンガとして選択し「フィンガ有効」なるフィンガ選択情報を作成する一方、しきい値より大きいフィンガをＲａｋｅ合成対象としないフィンガとして選択し「フィンガ無効」なるフィンガ選択情報を作成し、作成したフィンガ選択情報をフィンガ割当て部１０３とＲａｋｅ合成部１０８とに出力する。
【００４６】
このように、本実施の形態２によれば、遅延プロファイルが更新されない時でも、誤りビット数の多いフィンガを検出、削除し、遅延プロファイル更新時に見つけた候補パスでフィンガの追加を行うので、伝搬環境に応じたフィンガ割当ての更新を行うことができ、受信性能の劣化を抑制できる。
【００４７】
（実施の形態３）
図４は本発明の実施の形態３に係るＣＤＭＡ受信装置の構成を示すブロック図である。
なお、図４では、図１（実施の形態１）にて示した構成要素と同一ないしは同等である構成には同一の符号が付されている。ここでは、実施の形態３に関わる部分を中心に説明する。
【００４８】
即ち、図４に示すＣＤＭＡ受信装置３００は、図１（実施の形態１）にて示した構成において、希望波対干渉波電力比測定部１０６−１〜１０６−ｎに代えて受信レベル測定部３０６−１〜３０６−ｎが設けられ、またＲａｋｅ合成対象フィンガ選択部１０７に代えてＲａｋｅ合成対象フィンガ選択部３０７が設けられている。
【００４９】
以上の構成において、受信レベル測定部３０６−１〜３０６−ｎは、それぞれフィンガ部１０５−１〜１０５−ｎから逆拡散出力を受け、受信シンボルの電力値の平均を取ることにより受信レベルを測定し、Ｒａｋｅ合成対象フィンガ選択部３０７に出力する。
【００５０】
Ｒａｋｅ合成対象フィンガ選択部３０７は、フィンガ毎の受信レベルと予め定められた受信レベルしきい値とを比較し、しきい値以上のフィンガをＲａｋｅ合成対象となるフィンガとして選択し「フィンガ有効」なるフィンガ選択情報を作成する一方、しきい値より小さいフィンガをＲａｋｅ合成対象としないフィンガとして選択し「フィンガ無効」なるフィンガ選択情報を作成し、作成したフィンガ選択情報をフィンガ割当て部１０３とＲａｋｅ合成部１０８とに出力する。
【００５１】
このように、本実施の形態３によれば、遅延プロファイルが更新されない時でも、受信レベルの低いフィンガを検出、削除し、遅延プロファイル更新時に見つけた候補パスでフィンガの追加を行うので、伝搬環境に応じたフィンガ割当ての更新を行うことができ、受信性能の劣化を抑制できる。
【００５２】
なお、実施の形態１〜３では、フィンガ割当て部１０３は「フィンガ無効」と１度判断されるだけでフィンガ割当てから削除する構成で説明したが、複数回「フィンガ無効」と判断されてから削除する構成でもよい。
【産業上の利用可能性】
【００５３】
本発明は、消費電力の低減や基地局装置での収容チャネル増加を図るために遅延プロファイル更新周期を長くしたい場合に好適である。
【図面の簡単な説明】
【００５４】
【図１】本発明の実施の形態１に係るＣＤＭＡ受信装置の構成を示すブロック図
【図２】図１に示すＣＤＭＡ受信装置の動作を説明するタイムチャート
【図３】本発明の実施の形態２に係るＣＤＭＡ受信装置の構成を示すブロック図
【図４】本発明の実施の形態３に係るＣＤＭＡ受信装置の構成を示すブロック図
【図５】従来のＣＤＭＡ受信装置の構成例を示すブロック図
【符号の説明】
【００５５】
１００、２００、３００  ＣＤＭＡ受信装置
１０１  遅延プロファイル作成部
１０２  パス検出部
１０３  フィンガ割当て部
１０４  候補パス記憶部
１０５−１〜１０５−ｎ  フィンガ部
１０６−１〜１０６−ｎ  希望波対干渉波電力比測定部
１０７、２０７、３０７  Ｒａｋｅ合成対象フィンガ選択部
１０８  Ｒａｋｅ合成部
２０６−１〜２０６−ｎ  誤りビット数測定部
３０６−１〜３０６−ｎ  受信レベル測定部
【図１】
2006086632.tif 000003
【図２】
2006086632.tif 000004
【図３】
2006086632.tif 000005
【図４】
2006086632.tif 000006
【図５】
2006086632.tif 000007